【事件の表示】
　平成６年特許願第１２９３６７号「イヤリング」拒絶査定不服審判事件〔平成７年１２月１９日出願公開、特開平７−３２７７１５号〕について、次のとおり審決する。
【結　論】
　本件審判の請求は、成り立たない。
【理　由】
〔１〕手続の経緯
　本願は、平成６年６月10日の出願であって、平成14年４月11日付けの拒絶理由通知に対し、平成14年６月24日付けで手続補正書を提出し、その後、平成14年10月31日付けの拒絶査定に対し、平成15年１月８日付けで審判請求書手続補正書とともに明細書の手続補正書を提出したものである。
　
〔２〕平成15年１月８日付け手続補正の補正却下について
[結論]
　平成15年１月８日付けの手続補正を却下する。
[理由]
(1)補正発明
　平成15年１月８日付けの手続補正書に記載された特許請求の範囲の請求項１に係る発明は、特許請求の範囲の請求項１に記載された次のとおりのものと認める。（以下、「補正発明」という。）
「
それぞれが目的とするイヤリングデザインの一部を提供するとともに両者で該目的とするイヤリングデザインを提供する第１部材及び第２部材であって、
閉じ位置又は該閉じ位置から
該
　前記両部材のうち一方
の部材の内面側
　前記両部材のうち他方
の部材
　前記カムは前記リーフスプリングを設けた前記
一方の
おり、前記リーフスプリングを設けた一方の部材の前記他方部材に連結される側の端部に凹所が形成されているとともに前記カムが該他方の部材の前記一方の部材に連結される側の端部に突設されており、前記一方の部材がその凹所で該カムに外嵌され、該凹所形成端部が該カムに回動可能に連結されることで前記第１及び第２部材が互いに回動開閉可能に連結されており、前記カムはその外面を該カムを設けた前記他方の部材の外面に滑らかに連続させて該部材に突設してあり、前記両部材を前記閉じ位置においたとき前記カムの内面が前記凹所内に位置するとともに該カムの前記外面がリーフスプリングを設けた前記一方の部材の外面に滑らかに連続し、前記両部材を前記閉じ位置に置いたとき前記リーフスプリング自由端部の外表面が該両部材の内面に滑らかに連続することを特徴とする
（上記下線部が、おおむね当該補正によって補正された部分を示す。）
　
　上記補正を検討すると、上記補正の「の部材の内面側」は、リーフスプリングが設けられる場所を両部材のうちの一方の内部の内面側に限定するものであるから、特許請求の範囲の減縮を目的とするものであり、
　上記補正の「おり、前記リーフスプリングを設けた一方の部材の前記他方部材に連結される側の端部に凹所が形成されているとともに前記カムが該他方の部材の前記一方の部材に連結される側の端部に突設されており、前記一方の部材がその凹所で該カムに外嵌され、該凹所形成端部が該カムに回動可能に連結されることで前記第１及び第２部材が互いに回動開閉可能に連結されており、
　前記カムはその外面を該カムを設けた前記他方の部材の外面に滑らかに連続させて該部材に突設してあり、前記両部材を前記閉じ位置においたとき前記カムの内面が前記凹所内に位置するとともに該カムの前記外面がリーフスプリングを設けた前記一方の部材の外面に滑らかに連続し、
　前記両部材を前記閉じ位置に置いたとき前記リーフスプリング自由端部の外表面が該両部材の内面に滑らかに連続することを特徴とする」は、イヤリングの連結部位の構成を限定するものであるから、特許請求の範囲の減縮を目的とするものである。
　
　そこで、上記の補正発明が、特許出願の際独立して特許を受けることができるものであるかどうか検討する。
　
(2)引用例
　ア．原査定の拒絶の理由に引用された本願の出願の日前に頒布された実願昭62-25323号（実開昭63-133108号）のマイクロフィルム（以下、「引用例」という。）には、耳飾りに関して、図面とともに以下の事項が記載されている。
（ア−１）「ピン(1)を背面に取付け、装飾体(2)を前面に取付け得る支持体(3)と、支持体(3)の端部に回転自在に取付けられ、支持体(3)と対向する位置において上記ピン(1)を通過させる挿通孔(4)を有する裏当部材(5)とを有し、ピン(1)の側面に係止部(11)を設けるとともに、裏当部材(5)にピン(1)を挿通して上記係止部(11)を係合するストッパ(12)を形成したことを特徴とする耳飾り。」（実用新案登録請求の範囲第１項）
（ア−２）「従来、この種のピアス式耳飾りとして、例えば装飾体の支持体側にピンを取付け、これを耳たぶの孔に通して裏側からキャッチと称する止金具で抜け止めするようにしたものが知られている。また、ピンを取付けた装飾体の支持体の端部に裏当部材を回動自在に軸着し、この裏当部材を支持体との間で耳たぶを挟着するように、裏当部材に組み込んだバネで支持体側に付勢するようにしたものも知られている。」（明細書第２頁第８〜16行）
（ア−３）「耳たぶに設けた孔に装飾体の支持体に設けたピンを挿入したのち、このピンへの裏当部材の嵌着をワンタッチで、しかも片手で行なうことができるとともに、ピンと裏当部材との係合がはずれにくく、簡単に耳たぶから脱落することのない耳飾りを提供することができる。」（明細書第３頁第10〜16行）
（ア−４）「裏当部材５は、支持体３との軸着部において、支持体３側に付勢する板バネ６を取付けられている。すなわち、裏当部材５の内側に板バネ６の一端を固定して、その他端を上記支持体３の端部に当接させている。板バネ６の取付けは、裏当部材５の内側の面に板バネ挿入用の溝13を穿設し、この溝13に板バネ６をはめ込む。それとともに、板バネ６の上面に長さ方向に一対の突起14を突設し、他方溝13の側壁にも横向きに対向する一対の突起15を突設して両者を係合することにより、板バネ６を溝13内に取付けている。」（明細書第６頁第12行〜第７頁第３行）
（ア−５）「そこで裏当部材５は、上記板バネ６が支持体３の内壁面に当接しているときは支持体３側に保持され」（明細書７頁第４〜６行）
（ア−６）「なお第４図ないし第７図の実施例においては、裏当部材５のストッパ12が誤ってピン１の係止部11から外れても、裏当部材５は板バネ６により支持体３側に付勢されているので、耳飾りは耳たぶから脱落することがない。また裏当部材５を開いたときに、上記板バネ６は支持体３の端面に当接し、裏当部材５を支持体３から開かれた状態に保持する」（明細書第８頁第８〜15行）
（ア−７）第４図、第５図には、閉じ位置又は閉じ位置から開いた開き位置をとることができるように互いに回動開閉可能に連結された支持体３及び裏当部材５が図示され、
　裏当部材５の内面側に設けられて自由端部が両部材の相互連結部位へ延在する板バネ６が図示され、
　支持部材３には、板バネ６の自由端部にその摺動を許すように当接するカムが図示され、
　板バネ６を設けた裏当部材５の連結部位側の端部に溝13が形成されているのが図示され、
　カムはその外面を該カムを設けた支持体３の外面に滑らかに連続させて支持体３に突設してあり、支持体３及び裏当部材５を閉じ位置においたとき前記カムの内面が前記溝内に位置するとともに該カムの前記外面が板バネ６を設けた裏当部材の外面に滑らかに連続し、支持体３及び裏当部材５を閉じ位置においたとき前記板バネ６の自由端部の外表面が両部材の内面に滑らかに連続する耳飾りが図示されている。
　以上の記載及び図示内容から総合すると、引用例には、以下の発明が記載されている。（以下、「引用発明」という。）
「耳たぶの孔に通すためのピン１と、耳を挟着できる閉じ位置又は該閉じ位置から開いた開き位置をとることができるように互いに回動開閉可能に連結された支持体３及び裏当部材５と、
　前記両部材のうち裏当部材５の内面側に設けられて自由端部が該両部材の相互連結部位へ延在する板バネ６と、
　前記両部材のうち支持体３に設けられて前記板バネ６の自由端部にその摺動を許すように当接するカムと、前記両部材のうち裏当部材５に設けられてピン１に設けられた係止部材11と係合するストッパ12とを備え、
　前記カムは、裏当部材５が、上記板バネ６が支持体３の内壁面に当接しているときは支持体３側に保持され、裏当部材５を開いたときに、上記板バネ６は支持体３の端面に当接し、裏当部材５を支持体３から開かれた状態に保持するように機能し、
　前記板バネ６を設けた裏当部材５の前記支持体３に連結される側の端部に溝13が形成されているとともに前記カムが該支持体３の前記裏当部材５に連結される側の端部に突接されており、前記裏当部材５がその溝13で該カムに外嵌され、該溝13形成端部が該カムに回動可能に連結されることで前記支持体３及び裏当部材５が互いに回動開閉可能に連結されており、
　前記カムはその外面を該カムを設けた前記支持体３の外面に滑らかに連続させて該支持体３に突設してあり、前記両部材を前記閉じ位置においたとき前記カムの内面が前記溝13内に位置するとともに該カムの前記外面が板バネ６を設けた前記裏当部材５の外面に滑らかに連続し、
　前記両部材を前記閉じ位置に置いたとき前記板バネ６の自由端部の外表面が該両部材の内面に滑らかに連続する耳飾り。」
　
(3)対比・判断
　補正発明と引用発明を対比すると、その機能及び構成からみて、後者の「裏当部材５」は前者の「一方の部材」に、後者の「支持体３」は前者の「他方の部材」に、後者の「板バネ６」は前者の「リーフスプリング」に、後者の「溝13」は前者の「凹所」に、後者の「耳飾り」が前者の「イヤリング」に、それぞれ相当し、
後者の「前記カムは、裏当部材５が、上記板バネ６が支持体３の内壁面に当接しているときは支持体３側に保持され、裏当部材５を開いたときに、上記板バネ６は支持体３の端面に当接し、裏当部材５を支持体３から開かれた状態に保持するように機能し」は前者の「前記カムは前記リーフスプリングを設けた前記一方の部材を前記閉じ位置又は開き位置に維持するように該リーフスプリング自由端部に当接する位置決め用スプリング当接面を有し」に相当するから、
　両者は、「耳を挟着できる閉じ位置又は該閉じ位置から開いた開き位置をとることができるように互いに回動開閉可能に連結された該第１部材及び第２部材と、
　前記両部材のうち一方の部材の内面側に設けられて自由端部が該両部材の相互連結部位へ延在するリーフスプリングと、
　前記両部材のうち他方の部材に設けられて前記リーフスプリング自由端部にその摺動を許すように当接するカムとを備え、
　前記カムは前記リーフスプリングを設けた前記一方の部材を前記閉じ位置又は開き位置に維持するように該リーフスプリング自由端部に当接する位置決め用スプリング当接面を有しており、
　前記リーフスプリングを設けた一方の部材の前記他方部材に連結される側の端部に凹所が形成されているとともに前記カムが該他方の部材の前記一方の部材に連結される側の端部に突設されており、前記一方の部材がその凹所で該カムに外嵌され、該凹所形成端部が該カムに回動可能に連結されることで前記第１及び第２部材が互いに回動開閉可能に連結されており、
　前記カムはその外面を該カムを設けた前記他方の部材の外面に滑らかに連続させて該部材に突設してあり、前記両部材を前記閉じ位置においたとき前記カムの内面が前記凹所内に位置するとともに該カムの前記外面がリーフスプリングを設けた前記一方の部材の外面に滑らかに連続し、
　前記両部材を前記閉じ位置に置いたとき前記リーフスプリング自由端部の外表面が該両部材の内面に滑らかに連続するイヤリング。」の点で一致しており、以下の点で相違する。
　（相違点１）
　第１部材及び第２部材よりなるイヤリングにおいて、前者は「それぞれが目的とするイヤリングデザインの一部を提供するとともに両者で該目的とするイヤリングデザインを提供する」ものであるのに対し、後者はそうであるか否か不明な点。
（すなわち、前者は、全体として一つのデザインが統一されており、表としても裏としても使える（明細書段落【0004】、【0020】参照。）のに対し、後者は、そうであるか否か不明な点。）
　（相違点２）
　イヤリングにおいて、前者は、第１部材と第２部材とで「耳を挟着できる」ようにしたものであるのに対し、後者は、裏当部材５と支持体３とで耳を挟着できるようにしているものの、さらにピン１を耳たぶの孔に通すとともにピン１の係止部11を裏当部材５のストッパ12に係合させている点。
　
　上記相違点について検討する。
　上記相違点１について、イヤリングにおいて、全体として一つのデザインが統一されており、表としても裏としても使えるようにしたものは、従来周知の技術（実願昭63-140192号（実開平2-59615号）のマイクロフィルム（特に明細書第７頁第２〜４行の「７および７’は、・・・一対の装飾体である。」参照）、実願昭60-128889号（実開昭62-39508号）のマイクロフィルム、実願昭51-140368号（実開昭53-58895号）のマイクロフィルム）であり、二部材として統一したデザインとすることも通常広く行われているデザインの方法であるから、引用発明に上記周知の技術や上記広く行われるデザインの方法を用いて、相違点１に係る構造とすることは、当業者にとって容易に想到することができたものである。
　上記相違点２について、イヤリングにおいて、引用例のものを、ピンを使用せずもっぱら耳を挟着することのより耳に装着することは、周知の技術（実願昭61-95581号（実開昭63-1418号）のマイクロフィルム、実願昭59-82102号（実開昭60-193112号）のマイクロフィルム等）に照らして、当業者にとって容易に想到することができたものである。
　
　そして、補正発明の作用効果についてみても、引用発明および上記周知の技術に基づいて当業者が容易に予測できて程度のものであって格別のものではない。
　
(4)むすび
　以上のとおりであるから、補正発明は、引用発明および上記周知の技術に基づいて当業者が容易に発明をすることができたものであって、特許出願の際独立して特許を受けることができないものであるから、特許法第29条第２項の規定に該当し、同法第17条の２第４項によって準用する同法第126条第３項の規定に違反するので、同法第159条によって読み替えて準用する同法第53条の規定により却下すべきものである。
　
〔３〕本願発明
　上記〔２〕により平成15年１月８日付け手続補正は、却下されたので、本願の請求項１に係る発明は、以下のとおりである。（以下、「本願発明」という。）
「それぞれがイヤリングデザインの一部を提供するとともに両者相まってイヤリングデザインを提供する第１部材及び第２部材であって、耳を挟着できる閉じ位置をとることができ、又はその位置から開いた開き位置をとることができるように互いに回動開閉可能に連結された第１部材及び第２部材と、
　前記両部材のうち一方に設けられて自由端部が該両部材の相互連結部位へ延在するリーフスプリングと、
　前記両部材のうち他方に設けられて前記リーフスプリング自由端部にその摺動を許すように当接するカムとを備え、
　前記カムは前記リーフスプリングを設けた前記部材を前記閉じ位置又は開き位置に維持するように該リーフスプリング自由端部に当接する位置決め用スプリング当接面を有しているイヤリング。」
　
〔４〕引用発明
　上記〔２〕の(2)に記載されたとおりである。
　
〔５〕対比・判断
　本願発明は、上記〔２〕の補正発明の下線部分で限定した事項を除いた発明であるから、補正発明が引用発明および周知の技術に基づいて当業者が容易に想到することができた以上、本願発明も引用発明および周知の技術に基づいて当業者が容易には想到することができたものである。
　
〔６〕むすび
　本願発明は、引用発明および周知の技術に基づいて当業者が容易に発明をすることができたものであるから、特許法第29条第２項によって特許を受けることができない。
　よって、結論のとおり審決する。